(57)【要約】【課題】第２の通信が確立している際に、第１の音声による着信があった場合であっても、他の携帯情報端末間で第２の通信を続けることができるようにした通信システムを提供する。【解決手段】第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末であって、通信確立手段は、マスタとして第２の通信を確立し、着信検知手段は、第２の通信が確立した後に、第１の通信による着信を検知し、送信手段は、着信を検知した場合に、スレーブである他の携帯情報端末に対して、マスタになるように依頼するマスタ・スレーブ転換依頼を送信し、通信切断手段は、送信に対して応答があった場合に、前記通信確立手段によって確立した第２の通信から切断する。【選択図】図１
2008288755.tif 000002
【特許請求の範囲】
【請求項１】
第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる複数の携帯情報端末を有する通信システムであって、
第１の携帯情報端末は、
マスタとして、第２の通信を確立する第１の通信確立手段と、
前記第１の通信確立手段によって第２の通信が確立した後に、第１の通信による着信を検知する着信検知手段と、
前記着信検知手段によって着信を検知した場合に、スレーブである第２の携帯情報端末に対して、マスタになるように依頼するマスタ・スレーブ転換依頼を送信する送信手段と、
前記送信手段による送信に対して応答があった場合に、前記通信確立手段によって確立した第２の通信から切断する通信切断手段
を具備し、
第２の携帯情報端末は、
スレーブとして、前記第２の通信を確立する第２の通信確立手段と、
前記第２の通信確立手段によって第２の通信が確立した後に、マスタである前記第１の携帯情報端末からマスタになるように依頼されたマスタ・スレーブ転換依頼を受信する受信手段と、
前記受信手段によって受信されたマスタ・スレーブ転換依頼に応じて、前記第２の通信のマスタに転換するマスタ・スレーブ転換手段
を具備することを特徴とする通信システム。
【請求項２】
第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末であって、
マスタとして、第２の通信を確立する通信確立手段と、
前記通信確立手段によって第２の通信が確立した後に、第１の通信による着信を検知する着信検知手段と、
前記着信検知手段によって着信を検知した場合に、スレーブである他の携帯情報端末に対して、マスタになるように依頼するマスタ・スレーブ転換依頼を送信する送信手段と、
前記送信手段による送信に対して応答があった場合に、前記通信確立手段によって確立した第２の通信から切断する通信切断手段
を具備することを特徴とする携帯情報端末。
【請求項３】
近距離データ通信規格に準拠した無線通信が可能であり、該通信はマスタ・スレーブの関係を有してマスタが消滅すると通信できないものである複数種の通信を行うことができる携帯情報端末であって、
スレーブとして、前記通信を確立する通信確立手段と、
前記通信確立手段によって通信が確立した後に、マスタである他の携帯情報端末からマスタになるように依頼されたマスタ・スレーブ転換依頼を受信する受信手段と、
前記受信手段によって受信されたマスタ・スレーブ転換依頼に応じて、前記通信のマスタに転換するマスタ・スレーブ転換手段
を具備することを特徴とする携帯情報端末。
【請求項４】
第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末に通信を行わせることができる通信プログラムであって、
マスタとして、第２の通信を確立する通信確立手段と、
前記通信確立手段によって第２の通信が確立した後に、第１の通信による着信を検知する着信検知手段と、
前記着信検知手段によって着信を検知した場合に、スレーブである他の携帯情報端末に対して、マスタになるように依頼するマスタ・スレーブ転換依頼を送信する送信手段と、
前記送信手段による送信に対して応答があった場合に、前記通信確立手段によって確立した第２の通信から切断する通信切断手段
として機能させるための通信プログラム。
【請求項５】
近距離データ通信規格に準拠した無線通信が可能であり、該通信はマスタ・スレーブの関係を有してマスタが消滅すると通信できないものである複数種の通信を行うことができる携帯情報端末に通信を行わせることができる通信プログラムであって、
スレーブとして、前記通信を確立する通信確立手段と、
前記通信確立手段によって通信が確立した後に、マスタである他の携帯情報端末からマスタになるように依頼されたマスタ・スレーブ転換依頼を受信する受信手段と、
前記受信手段によって受信されたマスタ・スレーブ転換依頼に応じて、前記通信のマスタに転換するマスタ・スレーブ転換手段
として機能させるための通信プログラム。
【請求項６】
第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる複数の携帯情報端末を有する通信システムが行う通信方法であって、
第１の携帯情報端末は、
マスタとして、第２の通信を確立し、
前記第２の通信が確立した後に、第１の通信による着信を検知した場合に、スレーブである第２の携帯情報端末に対して、マスタになるように依頼するマスタ・スレーブ転換依頼を送信し、
前記送信に対して応答があった場合に、前記確立した第２の通信から切断し、
第２の携帯情報端末は、
スレーブとして、前記第２の通信を確立し、
前記第２の通信が確立した後に、マスタである前記第１の携帯情報端末からマスタになるように依頼されたマスタ・スレーブ転換依頼を受信し、
前記受信されたマスタ・スレーブ転換依頼に応じて、前記第２の通信のマスタに転換する
ことを特徴とする通信方法。
【請求項７】
第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末が行う通信方法であって、
マスタとして、第２の通信を確立し、
前記第２の通信が確立した後に、第１の通信による着信を検知した場合に、スレーブである第２の携帯情報端末に対して、マスタになるように依頼するマスタ・スレーブ転換依頼を送信し、
前記送信に対して応答があった場合に、前記確立した第２の通信から切断する
ことを特徴とする通信方法。
【請求項８】
近距離データ通信規格に準拠した無線通信が可能であり、該通信はマスタ・スレーブの関係を有してマスタが消滅すると通信できないものである複数種の通信を行うことができる携帯情報端末が行う通信方法であって、
スレーブとして、前記通信を確立し、
前記通信が確立した後に、マスタである他の携帯情報端末からマスタになるように依頼されたマスタ・スレーブ転換依頼を受信し、
前記受信されたマスタ・スレーブ転換依頼に応じて、前記通信のマスタに転換する
ことを特徴とする通信方法。
【発明の詳細な説明】
【技術分野】
【０００１】
本発明は、第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる複数の携帯情報端末を有する通信システム、第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末、前記携帯情報端末に通信を行わせることができる通信プログラム及び前記携帯情報端末が行う通信方法に関する。
【背景技術】
【０００２】
近年、携帯電話をより楽しく、生活をより快適に進化させることを目的として、ブルートゥース（Ｂｌｕｅｔｏｏｔｈ（登録商標））といわれる無線通信方式を搭載した携帯電話が普及している。ブルートゥースは、携帯電話等の機器を、無線で簡単に接続することを目的としており、この無線通信は２．４５ＧＨｚ（ギガヘルツ）の帯域を利用し、１０ｍ前後の近距離間の無線データ通信技術である。
このブルートゥースを搭載した携帯電話の用いられ方としては、例えば、特許文献１にあるように、車室内の人と車室外の人とが、車窓を閉めたまま、専用の車両用のインターホンを用いることなく、会話を行うことを可能とすることを課題とし、携帯電話機とハンズフリー装置との間でブルートゥース無線通信を行い、ハンズフリー装置のマイクロホンが入力した送話音声が他の携帯電話機に送信されると共に、他の携帯電話機から受信した受話音声がハンズフリー装置のスピーカから出力されるハンズフリー通話による通話処理と、ハンズフリー装置のマイクロホンが入力した送話音声が携帯電話機のスピーカから受話音声として出力されると共に、携帯電話機のマイクロホンが入力した送話音声がハンズフリー装置のスピーカから受話音声として出力されるインターホン通話による通話処理とを切替える携帯電話機及びハンズフリー装置を利用した通話システムがある。
しかしながら、ブルートゥースを搭載した携帯電話としては、ハンズフリー・ヘッドセットの域を超えておらず、必ずしもブルートゥースが有効に活用されているとは限らないのが現状である。
【特許文献１】特開２００２−１７１３３６号公報
【発明の開示】
【発明が解決しようとする課題】
【０００３】
ところで、通話機能以外の携帯電話による付加機能の１つとして利用者が、その携帯電話を用いてゲームを楽しむゲーム機能がある。このゲーム機能は、他の携帯電話との接続無しに利用するもの、つまり、内蔵されたゲームプログラムを用いて、一人で行うものが主流であるが、対戦型ゲームに代表されるようにブルートゥースを用いて複数人でゲームを楽しめるものがある。一方、ブルートゥース通信によるネットワークでは、マスタが１つ必須であり、マスタの下に最大７つまでのスレーブが同時に通信することが可能である。１つのマスタに、２つ以上のスレーブでブルートゥース通信によるネットワークを構成している場合、マスタが消滅すると、ネットワークそのものが消滅（解除、切断）し、スレーブ間でのネットワークを構成することはできない。
携帯電話に対して、通話の着信があった場合は、ゲームを中止してその着信に応答しなければならない。その携帯電話がブルートゥース通信によるネットワークのマスタである場合は、そのマスタが消滅してしまうことになるので、ブルートゥース通信によるネットワークそのものも消滅することになり、その他のスレーブである携帯電話でゲームを行っていた者全てがそのゲームを中止せざるを得ないこととなる。つまり、マスタの携帯電話に着信があった場合は、ゲーム参加者全員がそのゲームを中止することとなり、マスタ以外の参加者にとってはゲーム中止という不合理が生じてしまう。
本発明は、このような従来の技術が有する問題点に着目してなされたもので、第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができ、第２の通信が確立している場合に、第１の音声による着信があった場合であっても、他の携帯情報端末間で第２の通信、つまりゲームを続けることができるようにした通信システム、携帯情報端末、通信プログラム及び通信方法を提供することを目的としている。
【課題を解決するための手段】
【０００４】
かかる目的を達成するための本発明の要旨とするところは、次の各項の発明に存する。
［１］  第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる複数の携帯情報端末を有する通信システムであって、
第１の携帯情報端末は、
マスタとして、第２の通信を確立する第１の通信確立手段と、
前記第１の通信確立手段によって第２の通信が確立した後に、第１の通信による着信を検知する着信検知手段と、
前記着信検知手段によって着信を検知した場合に、スレーブである第２の携帯情報端末に対して、マスタになるように依頼するマスタ・スレーブ転換依頼を送信する送信手段と、
前記送信手段による送信に対して応答があった場合に、前記通信確立手段によって確立した第２の通信から切断する通信切断手段
を具備し、
第２の携帯情報端末は、
スレーブとして、前記第２の通信を確立する第２の通信確立手段と、
前記第２の通信確立手段によって第２の通信が確立した後に、マスタである前記第１の携帯情報端末からマスタになるように依頼されたマスタ・スレーブ転換依頼を受信する受信手段と、
前記受信手段によって受信されたマスタ・スレーブ転換依頼に応じて、前記第２の通信のマスタに転換するマスタ・スレーブ転換手段
を具備することを特徴とする通信システム。
【０００５】
［２］  第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末であって、
マスタとして、第２の通信を確立する通信確立手段と、
前記通信確立手段によって第２の通信が確立した後に、第１の通信による着信を検知する着信検知手段と、
前記着信検知手段によって着信を検知した場合に、スレーブである他の携帯情報端末に対して、マスタになるように依頼するマスタ・スレーブ転換依頼を送信する送信手段と、
前記送信手段による送信に対して応答があった場合に、前記通信確立手段によって確立した第２の通信から切断する通信切断手段
を具備することを特徴とする携帯情報端末。
【０００６】
［３］  近距離データ通信規格に準拠した無線通信が可能であり、該通信はマスタ・スレーブの関係を有してマスタが消滅すると通信できないものである複数種の通信を行うことができる携帯情報端末であって、
スレーブとして、前記通信を確立する通信確立手段と、
前記通信確立手段によって通信が確立した後に、マスタである他の携帯情報端末からマスタになるように依頼されたマスタ・スレーブ転換依頼を受信する受信手段と、
前記受信手段によって受信されたマスタ・スレーブ転換依頼に応じて、前記通信のマスタに転換するマスタ・スレーブ転換手段
を具備することを特徴とする携帯情報端末。
【０００７】
［４］  第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末に通信を行わせることができる通信プログラムであって、
マスタとして、第２の通信を確立する通信確立手段と、
前記通信確立手段によって第２の通信が確立した後に、第１の通信による着信を検知する着信検知手段と、
前記着信検知手段によって着信を検知した場合に、スレーブである他の携帯情報端末に対して、マスタになるように依頼するマスタ・スレーブ転換依頼を送信する送信手段と、
前記送信手段による送信に対して応答があった場合に、前記通信確立手段によって確立した第２の通信から切断する通信切断手段
として機能させるための通信プログラム。
【０００８】
［５］  近距離データ通信規格に準拠した無線通信が可能であり、該通信はマスタ・スレーブの関係を有してマスタが消滅すると通信できないものである複数種の通信を行うことができる携帯情報端末に通信を行わせることができる通信プログラムであって、
スレーブとして、前記通信を確立する通信確立手段と、
前記通信確立手段によって通信が確立した後に、マスタである他の携帯情報端末からマスタになるように依頼されたマスタ・スレーブ転換依頼を受信する受信手段と、
前記受信手段によって受信されたマスタ・スレーブ転換依頼に応じて、前記通信のマスタに転換するマスタ・スレーブ転換手段
として機能させるための通信プログラム。
【０００９】
［６］  第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる複数の携帯情報端末を有する通信システムが行う通信方法であって、
第１の携帯情報端末は、
マスタとして、第２の通信を確立し、
前記第２の通信が確立した後に、第１の通信による着信を検知した場合に、スレーブである第２の携帯情報端末に対して、マスタになるように依頼するマスタ・スレーブ転換依頼を送信し、
前記送信に対して応答があった場合に、前記確立した第２の通信から切断し、
第２の携帯情報端末は、
スレーブとして、前記第２の通信を確立し、
前記第２の通信が確立した後に、マスタである前記第１の携帯情報端末からマスタになるように依頼されたマスタ・スレーブ転換依頼を受信し、
前記受信されたマスタ・スレーブ転換依頼に応じて、前記第２の通信のマスタに転換する
ことを特徴とする通信方法。
【００１０】
［７］  第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末が行う通信方法であって、
マスタとして、第２の通信を確立し、
前記第２の通信が確立した後に、第１の通信による着信を検知した場合に、スレーブである第２の携帯情報端末に対して、マスタになるように依頼するマスタ・スレーブ転換依頼を送信し、
前記送信に対して応答があった場合に、前記確立した第２の通信から切断する
ことを特徴とする通信方法。
【００１１】
［８］  近距離データ通信規格に準拠した無線通信が可能であり、該通信はマスタ・スレーブの関係を有してマスタが消滅すると通信できないものである複数種の通信を行うことができる携帯情報端末が行う通信方法であって、
スレーブとして、前記通信を確立し、
前記通信が確立した後に、マスタである他の携帯情報端末からマスタになるように依頼されたマスタ・スレーブ転換依頼を受信し、
前記受信されたマスタ・スレーブ転換依頼に応じて、前記通信のマスタに転換する
ことを特徴とする通信方法。
【００１２】
前記本発明は次のように作用する。
本発明における通信システム、携帯情報端末、通信プログラム及び通信方法は、第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる複数の携帯情報端末間で通信する。
第１の携帯情報端末は、マスタとして、第２の通信を確立し、前記第２の通信が確立した後に、第１の通信による着信を検知した場合に、スレーブである第２の携帯情報端末に対して、マスタになるように依頼するマスタ・スレーブ転換依頼を送信し、前記送信に対して応答があった場合に、前記確立した第２の通信から切断し、第２の携帯情報端末は、スレーブとして、前記第２の通信を確立し、前記第２の通信が確立した後に、マスタである前記第１の携帯情報端末からマスタになるように依頼されたマスタ・スレーブ転換依頼を受信し、前記受信されたマスタ・スレーブ転換依頼に応じて、前記第２の通信のマスタに転換する。
これによって、第２の通信が確立している場合に、第１の音声による着信があった場合であっても、他の携帯情報端末間で第２の通信を続けることができるようになる。
【発明の効果】
【００１３】
本発明にかかる通信システム、携帯情報端末、通信プログラム及び通信方法によれば、第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができ、第２の通信が確立している場合に、第１の音声による着信があった場合であっても、他の携帯情報端末間で第２の通信を続けることができる。これによって、第２の通信にスレーブとして参加している者にとって、操作性、利便性が向上する。
【発明を実施するための最良の形態】
【００１４】
以下、図面に基づき本発明の好適な一実施の形態を説明する。
図１は、本発明の一実施の形態の概念的なモジュール構成図を示している。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システム及び方法の説明をも兼ねている。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。また、以下、「接続」とは物理的な接続の他、論理的な接続を含む。
また、システムとは、複数のコンピュータ、ハードウェア、装置等がネットワーク等で接続されて構成されるほか、１つのコンピュータ、ハードウェア、装置等によって実現される場合も含まれる。
以下、携帯情報端末として携帯電話を、近距離データ通信規格に準拠した通信としてブルートゥース通信を、複数人で行うゲームとして対戦型ゲームをそれぞれ例示して説明する。
【００１５】
携帯電話２００は、複数種の通信（例えば、携帯電話２００による音声による無線通信である通話（又はデータ通信等）と携帯電話２００内に装備されたブルートゥース通信モジュール３０２によるブルートゥース通信）を行うことができ、該通信の一種としてブルートゥースによる通信を行うことができるものであって、図１に示すように、マスタ側端末１００は、ブルートゥース通信モジュール１０２、着信検知モジュール１０４、マスタ・スレーブ転換依頼送信モジュール１０６、ブルートゥース通信切断モジュール１０８を備えており、スレーブ側端末１５０は、ブルートゥース通信モジュール１５２、マスタ・スレーブ転換依頼受信モジュール１５４、マスタ転換モジュール１５６を備えている。
【００１６】
まず、マスタ側端末１００内のモジュール群について説明する。
ブルートゥース通信モジュール１０２は、図１に示すように、着信検知モジュール１０４と接続されており、スレーブ側端末１５０とブルートゥース通信を行い、スレーブ側端末１５０内のブルートゥース通信モジュール１５２と接続されている。ブルートゥース通信モジュール１０２は、マスタとして、スレーブ側端末１５０との間にブルートゥース通信によるネットワークを確立させ、スレーブ側端末１５０との間でブルートゥース通信を行う。
着信検知モジュール１０４は、図１に示すように、ブルートゥース通信モジュール１０２、マスタ・スレーブ転換依頼送信モジュール１０６と接続されており、ブルートゥース通信モジュール１０２によってブルートゥース通信によるネットワークが確立した後に、音声による着信（一般的な電話での着信）を検知する。
【００１７】
マスタ・スレーブ転換依頼送信モジュール１０６は、図１に示すように、着信検知モジュール１０４、ブルートゥース通信切断モジュール１０８と接続されており、スレーブ側端末１５０とブルートゥース通信を行い、スレーブ側端末１５０内のマスタ・スレーブ転換依頼受信モジュール１５４と接続されている。着信検知モジュール１０４によって着信を検知した場合に、スレーブ側端末１５０内のマスタ・スレーブ転換依頼受信モジュール１５４に対して、マスタになるように依頼するマスタ・スレーブ転換依頼（より具体的には、ブルートゥース仕様に定められているＭａｓｔｅｒ−Ｓｌａｖｅ  Ｓｗｉｔｃｈ）を送信する。つまり、スレーブ側端末１５０に対してマスタ権限を与えることになる。
ブルートゥース通信切断モジュール１０８は、図１に示すように、マスタ・スレーブ転換依頼送信モジュール１０６と接続されている。マスタ・スレーブ転換依頼送信モジュール１０６による送信に対して応答があった場合に、ブルートゥース通信モジュール１０２によって確立したブルートゥース通信によるネットワークから切断する。
【００１８】
次に、スレーブ側端末１５０内のモジュール群について説明する。
ブルートゥース通信モジュール１５２は、図１に示すように、マスタ・スレーブ転換依頼受信モジュール１５４と接続されており、マスタ側端末１００とブルートゥース通信を行い、マスタ側端末１００内のブルートゥース通信モジュール１０２と接続されている。ブルートゥース通信モジュール１５２は、スレーブとして、マスタ側端末１００との間にブルートゥース通信によるネットワークを確立させ、マスタ側端末１００との間でブルートゥース通信を行う。
【００１９】
マスタ・スレーブ転換依頼受信モジュール１５４は、図１に示すように、ブルートゥース通信モジュール１５２、マスタ転換モジュール１５６と接続されており、マスタ側端末１００とブルートゥース通信を行い、マスタ側端末１００内のマスタ・スレーブ転換依頼送信モジュール１０６と接続されている。マスタ・スレーブ転換依頼受信モジュール１５４は、ブルートゥース通信モジュール１５２によってブルートゥース通信によるネットワークが確立した後に、マスタであるマスタ側端末１００内のマスタ・スレーブ転換依頼送信モジュール１０６からマスタになるように依頼されたマスタ・スレーブ転換依頼を受信する。
【００２０】
マスタ転換モジュール１５６は、図１に示すように、マスタ・スレーブ転換依頼受信モジュール１５４と接続されており、マスタ・スレーブ転換依頼受信モジュール１５４によって受信されたマスタ・スレーブ転換依頼に応じて、ブルートゥース通信によるネットワークのマスタに転換する。つまり、スレーブ側端末１５０は、本ブルートゥース通信によるネットワークのマスタとなり、このネットワークをそのまま継続する。これによって、他のスレーブ側端末１５０との間でブルートゥース通信によるネットワークを継続して使用できるようになり、例えば、ブルートゥース通信を用いて行っていた対戦型ゲーム等を続けることができる。
【００２１】
なお、図１には、１つのマスタ側端末１００と１つのスレーブ側端末１５０による一対一による通信の場合を示しているが、スレーブ側端末１５０は複数（最大７つ）である。ブルートゥース通信モジュール１０２は複数のスレーブ側端末１５０内のブルートゥース通信モジュール１５２、ブルートゥース通信モジュール１５２は他のスレーブ側端末１５０のブルートゥース通信モジュール１５２とそれぞれ接続されており、それぞれがブルートゥース通信モジュール３０２を用いて、ブルートゥース通信を行っている。
【００２２】
マスタ側端末１００又はスレーブ側端末１５０である携帯電話２００は、図２に示すように、電話としての機能を有するように音声入力できるマイク２５０と、音声出力できるスピーカ２４０と、電話番号又はゲーム用等に文字を入力するための文字入力装置であるキー２２０と、電波を送受信するアンテナ２３０と、キー２２０による文字入力の結果、受信した結果、ゲーム内容等の表示を行うディスプレイ２１０とを有している。また、このほかにカメラ等を有していてもよい。
【００２３】
図３は、携帯電話２００の主にハードウェアに関する内部構成例を示すブロック図である。携帯電話２００は、アンテナ２３０、電話通信モジュール３０６、ブルートゥース用アンテナ３０１、ブルートゥース通信モジュール３０２、キー入力検知モジュール３０３、ＣＰＵ３０４、メモリ３０５を有している。ＣＰＵ３０４は、メモリ３０５に記憶されているプログラム（ブルートゥース通信モジュール１０２、着信検知モジュール１０４、マスタ・スレーブ転換依頼送信モジュール１０６、ブルートゥース通信切断モジュール１０８、ブルートゥース通信モジュール１５２、マスタ・スレーブ転換依頼受信モジュール１５４、マスタ転換モジュール１５６等）に従って各種の処理を実行する。メモリ３０５は、プログラムやキー入力検知モジュール３０３、電話通信モジュール３０６、ブルートゥース通信モジュール３０２から入力されるデータ等を記憶する。キー入力検知モジュール３０３は、携帯電話２００の操作者によるキー２２０の操作を検知し、メモリ３０５へ記憶させる。電話通信モジュール３０６は、アンテナ２３０に接続され、電話通信用の電波を送受信する。ブルートゥース通信モジュール３０２は、ブルートゥース用アンテナ３０１に接続され、他の携帯電話２００とブルートゥースによる通信を行う。図３は、一対一のブルートゥース通信の場合の例であり、一方がマスタ側端末１００となり、他方がスレーブ側端末１５０となる。また、スレーブ側端末１５０は複数ある。
【００２４】
次に、図４、図５を用いて作用・動作を説明する。
図４（Ａ）は、携帯電話２００であるマスタ４０１、スレーブ１−４０２、スレーブ２−４０３の間で、ブルートゥース通信によるネットワークを構成している例である。これによって、例えば、３者間（マスタ４０１、スレーブ１−４０２、スレーブ２−４０３）での対戦型ゲームを行うことができる。
図４（Ｂ）は、図４（Ａ）の状態からマスタ４０１に対して音声による着信があり、それに応答するために、マスタ４０１は、ブルートゥース通信によるネットワーク内のマスタ権限をスレーブ１−４０２に渡し、本ネットワークから自らを切断した後の関係の例を示している。つまり、スレーブ１−４０２は本ネットワークにおけるマスタになり、スレーブ２−４０３との間で図４（Ａ）で示したネットワークをそのまま継続している。これによって、対戦型ゲームは、マスタ４０１は外れることになるが、スレーブ１−４０２（マスタ）とスレーブ２−４０３との間で続けることができる。
【００２５】
図５を用いて、マスタ側端末１００（マスタ）と複数のスレーブ側端末１５０（スレーブ１、スレーブ２）との間の通信手順例を説明する。
マスタ側端末１００内のブルートゥース通信モジュール１０２、複数のスレーブ側端末１５０内のブルートゥース通信モジュール１５２によってブルートゥース通信によるネットワークが確立しており、ブルートゥースネットワークは接続しているとする（ステップＳ５０１Ｍ）。
このようにブルートゥースネットワーク接続中に、マスタ側端末１００（マスタ）に対して音声による着信があったとする（ステップＳ５０２Ｍ）。
マスタ側端末１００内のマスタ・スレーブ転換依頼送信モジュール１０６は、スレーブ側端末１５０（スレーブ１）に対して、マスタ・スレーブ転換依頼を送信する（ステップＳ５０３Ｍ）。一方、スレーブ側端末１５０（スレーブ１）はマスタ・スレーブ転換依頼を受信する（ステップＳ５０３Ｓ）。
【００２６】
スレーブ側端末１５０（スレーブ１）は、現在確立しているブルートゥースネットワークのスレーブからマスタに転換される（ステップＳ５０４Ｓ）。この時点で、スレーブ側端末１５０（スレーブ１）はマスタになる。一方、マスタ側端末１００（マスタ）は、ブルートゥースネットワークから抜け（ブルートゥースネットワークから切断し）（ステップＳ５０４Ｍ）、音声着信に対する応答である音声通信を行う（ステップＳ５０５Ｍ）。
そして、新しいマスタとスレーブ側端末１５０（スレーブ２）との間で、先に確立しているブルートゥースネットワークを継続する（ステップＳ５０５Ｓ）。
【００２７】
前記実施の形態においては、携帯情報端末として携帯電話を示したが、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等でも可能であり、携帯可能であり、ブルートゥース以外の通信も可能なものであればよい。送信側と受信側になる携帯情報端末は、携帯電話同士でなくてもよい。例えば、携帯電話とＰＤＡとのブルートゥースを用いた通信であってもよい。また、通信としてブルートゥースを示したが、複数人で行うゲームに適用できる近距離データ通信規格に準拠したものであればよい。
対戦型ゲームを示したが、これに限られず、複数人で行うものであればよい。
【００２８】
なお、説明したプログラムについては、記録媒体に格納することも可能であり、その場合は、例えば以下の発明としても把握することができる。
第１の通信は音声による無線通信が可能であり、第２の通信は近距離データ通信規格に準拠した無線通信が可能であり、該第２の通信はマスタ・スレーブの関係を有してマスタが消滅すると通信できないものである複数種の通信を行うことができる携帯情報端末に通信を行わせることができる通信プログラムを記録した携帯情報端末読み取り可能な記録媒体であって、
マスタとして、第２の通信を確立する通信確立手段と、
前記通信確立手段によって第２の通信が確立した後に、第１の通信による着信を検知する着信検知手段と、
前記着信検知手段によって着信を検知した場合に、スレーブである他の携帯情報端末に対して、マスタになるように依頼するマスタ・スレーブ転換依頼を送信する送信手段と、
前記送信手段による送信に対して応答があった場合に、前記通信確立手段によって確立した第２の通信から切断する通信切断手段
として機能させるための通信プログラムを記録した携帯情報端末読み取り可能な記録媒体。
【００２９】
近距離データ通信規格に準拠した無線通信が可能であり、該通信はマスタ・スレーブの関係を有してマスタが消滅すると通信できないものである複数種の通信を行うことができる携帯情報端末に通信を行わせることができる通信プログラムを記録した携帯情報端末読み取り可能な記録媒体であって、
スレーブとして、前記通信を確立する通信確立手段と、
前記通信確立手段によって通信が確立した後に、マスタである他の携帯情報端末からマスタになるように依頼されたマスタ・スレーブ転換依頼を受信する受信手段と、
前記受信手段によって受信されたマスタ・スレーブ転換依頼に応じて、前記通信のマスタに転換するマスタ・スレーブ転換手段
として機能させるための通信プログラムを記録した携帯情報端末読み取り可能な記録媒体。
【００３０】
「プログラムを記録した携帯情報端末読み取り可能な記録媒体」とは、プログラムのインストール、実行、プログラムの流通などのために用いられる、プログラムが記録された携帯情報端末で読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、上記のプログラム又はその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００３１】
【図１】本発明の一実施の形態に係る全体のモジュール構成例を示すブロック図である。
【図２】携帯電話の構成例を示す説明図である。
【図３】携帯電話の内部構成例を示すブロック図である。
【図４】マスタをブルートゥースネットワークから切断した場合の例を示す説明図である。
【図５】マスタ側と複数のスレーブ側との間の通信手順例を示す説明図である。
【符号の説明】
【００３２】
１００…マスタ側端末
１０２…ブルートゥース通信モジュール
１０４…着信検知モジュール
１０６…マスタ・スレーブ転換依頼送信モジュール
１０８…ブルートゥース通信切断モジュール
１５０…スレーブ側端末
１５２…ブルートゥース通信モジュール
１５４…マスタ・スレーブ転換依頼受信モジュール
１５６…マスタ転換モジュール
【図１】
2008288755.tif 000003
【図２】
2008288755.tif 000004
【図３】
2008288755.tif 000005
【図４】
2008288755.tif 000006
【図５】
2008288755.tif 000007